(57)【要約】【課題】表示板の位置によるゲート信号の歪曲を防止し、データ電圧の信号遅延を補償できる駆動装置を含む表示装置及びその駆動方法を提供する。【解決手段】本発明に係る表示装置は、複数のゲート線と複数の画素とが形成される表示板、前記ゲート線にゲート信号を印加するゲート駆動部、及び前記ゲート駆動部を制御する制御部を含み、前記制御部は、前記ゲート信号の走査開始を指示する走査開始信号ＳＴＶと複数のパルスとを含む少なくとも一つのゲートクロック信号ＣＰＶを生成する信号制御部、及び基本ゲートオン電圧と基本ゲートオフ電圧とを基準として、前記ゲートクロック信号のパルスの上昇エッジに合わせてオーバシュート電圧を追加するか、または前記ゲートクロック信号の前記パルスの下降エッジに合わせてアンダシュート電圧を追加して、変調されたゲートオン電圧と変調されたゲートオフ電圧とを生成する駆動電圧変調部を含む。【選択図】図４
2013246431.tif 000002
【特許請求の範囲】
【請求項１】
複数のゲート線と複数の画素とが形成されている表示板、
前記ゲート線にゲート信号を印加するゲート駆動部、及び
前記ゲート駆動部を制御する制御部
を含み、
前記制御部は、前記ゲート信号の走査開始を指示する走査開始信号ＳＴＶと複数のパルスとを含む少なくとも一つのゲートクロック信号ＣＰＶを生成する信号制御部、及び
基本ゲートオン電圧と基本ゲートオフ電圧とを基準として、前記ゲートクロック信号のパルスの上昇エッジに合わせてオーバシュート電圧を追加するか、または前記ゲートクロック信号の前記パルスの下降エッジに合わせてアンダシュート電圧を追加して、変調されたゲートオン電圧と変調されたゲートオフ電圧とを生成する駆動電圧変調部
を含む、表示装置。
【請求項２】
前記ゲート信号は少なくとも一つのゲートオンパルスを含み、
前記ゲートオンパルスは、前記ゲートクロック信号の前記パルスの高レベル区間に対応する前記変調されたゲートオン電圧と、前記ゲートクロック信号の低レベル区間に対応する前記変調されたゲートオフ電圧とを含む、請求項１に記載の表示装置。
【請求項３】
前記基本ゲート電圧は１フレームを１周期として増加して、前記複数のゲート線に対応する前記基本ゲートオン電圧は少なくとも一つのゲート線ごとに変化する、請求項２に記載の表示装置。
【請求項４】
前記基本ゲートオフ電圧は一定である、請求項３に記載の表示装置。
【請求項５】
前記信号制御部は、１フレームを１周期として変化する前記オーバシュート電圧と１フレームを１周期として変化する前記アンダシュート電圧とのうちの少なくとも一つに対する情報を含むシュートデジタル信号を生成して、前記駆動電圧変調部に入力し、
前記駆動電圧変調部は、前記シュートデジタル信号をシュートアナログ電圧に変換するデジタル−アナログ変換部を含み、
前記駆動電圧変調部は、前記シュートアナログ電圧に基づいて、前記変調されたゲートオン電圧と前記変調されたゲートオフ電圧とを生成する、請求項４に記載の表示装置。
【請求項６】
前記オーバシュート電圧と前記アンダシュート電圧とのうちの少なくとも一つは、前記ゲートクロック信号の少なくとも一つのパルスごとに変化する、請求項５に記載の表示装置。
【請求項７】
前記ゲート駆動部は、前記変調されたゲートオン電圧と前記変調されたゲートオフ電圧と前記ゲートクロック信号とを受信して、前記複数のゲート線に順次に入力される前記ゲート信号を生成する、請求項６に記載の表示装置。
【請求項８】
前記制御部は、前記変調されたゲートオン電圧と共通低電圧とを受信し、前記走査開始信号と前記ゲートクロック信号とに基づいてクロック信号を生成して、前記ゲート駆動部に伝達するクロック信号生成部をさらに含む、請求項６に記載の表示装置。
【請求項９】
前記ゲートクロック信号は、互いに反転した形態の第１ゲートクロック信号と第２ゲートクロック信号とを含み、
前記変調されたゲートオン電圧は、前記第１ゲートクロック信号に対応する変調された第１ゲートオン電圧と前記第２ゲートクロック信号に対応する変調された第２ゲートオン電圧とを含み、
前記変調されたゲートオフ電圧は、前記第１ゲートクロック信号に対応する変調された第１ゲートオフ電圧と前記第２ゲートクロック信号に対応する変調された第２ゲートオフ電圧とを含み、
前記クロック信号は、前記変調された第１ゲートオン電圧と前記第１ゲートクロック信号に基づいて生成された第１クロック信号と前記変調された第２ゲートオン電圧と前記第２ゲートクロック信号に基づいて生成された第２クロック信号とを含む、請求項８に記載の表示装置。
【請求項１０】
前記ゲート駆動部は複数のステージを含み、前記走査開始信号と前記第１クロック信号と第２クロック信号と前記変調された第１ゲートオフ電圧と第２ゲートオフ電圧とに基づいて前記ゲート信号を生成して前記ゲート線に出力する、請求項９に記載の表示装置。
【発明の詳細な説明】
【技術分野】
【０００１】
本発明は、駆動装置を含む表示装置及びその駆動方法に関する。
【背景技術】
【０００２】
一般に、表示装置は、映像を表示する単位の複数の画素と、複数の駆動部を含む。
【０００３】
複数の画素は、複数のゲート線及びデータ線と接続されている。各画素は、ゲート線及びデータ線と接続される薄膜トランジスタなどのスイッチング素子、及びこれと接続された画素電極を含むことができる。ゲート線とデータ線は互いに異なる方向に延びて、互いに交差することができる。
【０００４】
駆動部は、画素にデータ電圧を印加するデータ駆動部、及びデータ電圧の伝達を制御するゲート信号を印加するゲート駆動部を含む。
【０００５】
ゲート駆動部及びデータ駆動部は、表示板に集積されてもよく、チップ（ｃｈｉｐ）形態で表示板と接続された印刷回路基板（ｐｒｉｎｔｅｄ  ｃｉｒｃｕｉｔ  ｂｏａｒｄ、ＰＣＢ）または表示板に実装されてもよい。
【０００６】
ゲート駆動部は、それに付随して接続された複数のステージからなるシフトレジスタまたは走査駆動回路を含む。ゲート駆動部は、複数の駆動電圧及び複数のゲート制御信号を受信して、ゲート信号を生成することができる。駆動電圧は、スイッチング素子をターンオンするゲートオン電圧、及びターンオフするゲートオフ電圧を含み、ゲート制御信号は、走査開始を指示する走査開始信号ＳＴＶ、及びゲートオンパルスの出力時期を制御するゲートクロック信号ＣＰＶなどを含むことができる。ゲート駆動部は、駆動電圧及びゲート制御信号に基づいて、各ゲート線に入力されるゲート信号を生成して、ゲート線に出力する。
【０００７】
最近、表示装置の表示板の大型化に伴い、ゲート線及びデータ線などの駆動信号線が長くなっている。そのため、各ゲート線の端部のようにゲート駆動部から遠方ではゲート信号の遅延が生じて、ゲートオンパルスの波形に歪曲が生じうる。また、表示装置が大型化するほど、ゲート駆動部に入力される駆動電圧とゲート制御信号とを伝達する信号配線が長くなって、これらの信号の入力地点から遠くなるほど、駆動電圧及びゲート制御信号の波形に歪曲が発生しうる。このことにより、表示装置の表示板の位置に応じてゲート信号のゲートオンパルスに偏差が生じうる。また、表示板が大型化するほどデータ線も長くなって、表示板の位置に応じてデータ信号が遅延する。そのためにスイッチング素子に入力されるデータ電圧の入力タイミングとゲート信号の入力タイミングが同期しなくて、映像の輝度の正確性が低下することがある。
【発明の概要】
【発明が解決しようとする課題】
【０００８】
本発明の目的は、表示板の位置に応じたゲート信号の歪曲を防止し、データ電圧の信号遅延を補償できる駆動装置を含む表示装置、及びその駆動方法を提供することにある。
【課題を解決するための手段】
【０００９】
本発明の一実施形態による表示装置は、複数のゲート線と複数の画素とが形成される表示板、前記ゲート線にゲート信号を印加するゲート駆動部、及び前記ゲート駆動部を制御する制御部を含み、前記制御部は、前記ゲート信号の走査開始を指示する走査開始信号ＳＴＶと複数のパルスとを含む少なくとも一つのゲートクロック信号ＣＰＶを生成する信号制御部、及び基本ゲートオン電圧と基本ゲートオフ電圧とを基準として、前記ゲートクロック信号のパルスの上昇エッジに合わせてオーバシュート電圧を追加するか、または前記ゲートクロック信号の前記パルスの下降エッジに合わせてアンダシュート電圧を追加して、変調されたゲートオン電圧と変調されたゲートオフ電圧とを生成する駆動電圧変調部を含む。
【００１０】
前記ゲート信号は少なくとも一つのゲートオンパルスを含み、前記ゲートオンパルスは、前記ゲートクロック信号の前記パルスの高レベル区間に対応する前記変調されたゲートオン電圧と、前記ゲートクロック信号の低レベル区間に対応する前記変調されたゲートオフ電圧を含むとよい。
【００１１】
前記基本ゲート電圧は、１フレームを１周期として増加して、前記複数のゲート線に対応する前記基本ゲートオン電圧は、少なくとも一つのゲート線ごとに変化するとよい。
【００１２】
前記基本ゲートオフ電圧は一定であるとよい。
【００１３】
前記信号制御部は、１フレームを１周期として変化する前記オーバシュート電圧と１フレームを１周期として変化する前記アンダシュート電圧とのうちの少なくとも一つに対する情報を含むシュートデジタル信号を生成して、前記駆動電圧変調部に入力し、前記駆動電圧変調部は、前記シュートデジタル信号をシュートアナログ電圧に変換するデジタル−アナログ変換部を含み、前記駆動電圧変調部は、前記シュートアナログ電圧に基づいて、前記変調されたゲートオン電圧と前記変調されたゲートオフ電圧とを生成するとよい。
【００１４】
前記オーバシュート電圧と前記アンダシュート電圧とのうちの少なくとも一つは、前記ゲートクロック信号の少なくとも一つのパルスごとに変化するとよい。
【００１５】
前記ゲート駆動部は、前記変調されたゲートオン電圧と前記変調されたゲートオフ電圧と前記ゲートクロック信号とを受信して、前記複数のゲート線に順次に入力される前記ゲート信号を生成するとよい。
【００１６】
前記制御部は、前記変調されたゲートオン電圧と共通低電圧とを受信し、前記走査開始信号と前記ゲートクロック信号とに基づいてクロック信号を生成して、前記ゲート駆動部に伝達するクロック信号生成部をさらに含むとよい。
【００１７】
前記ゲートクロック信号は、互いに反転した形態の第１ゲートクロック信号と第２ゲートクロック信号とを含み、前記変調されたゲートオン電圧は、前記第１ゲートクロック信号に対応する変調された第１ゲートオン電圧と前記第２ゲートクロック信号に対応する変調された第２ゲートオン電圧とを含み、前記変調されたゲートオフ電圧は、前記第１ゲートクロック信号に対応する変調された第１ゲートオフ電圧と前記第２ゲートクロック信号に対応する変調された第２ゲートオフ電圧とを含み、前記クロック信号は、前記変調された第１ゲートオン電圧と前記第１ゲートクロック信号に基づいて生成された第１クロック信号と前記変調された第２ゲートオン電圧と前記第２ゲートクロック信号に基づいて生成された第２クロック信号とを含むとよい。
【００１８】
前記ゲート駆動部は複数のステージを含み、前記走査開始信号と前記第１クロック信号と第２クロック信号と前記変調された第１クロック信号と第２ゲートオフ電圧とに基づいて前記ゲート信号を生成して、前記ゲート線に出力するとよい。
【発明の効果】
【００１９】
本発明の一実施形態によれば、表示板の位置に応じたゲート信号の歪曲を防止して、ゲートオンパルスの特性を均一にすることができる。また、ゲートオンパルス波形を制御して、データ電圧の信号遅延による歪曲を補償することができる。
【図面の簡単な説明】
【００２０】
【図１】本発明の一実施形態に係る表示装置のブロック図である。
【図２】本発明の一実施形態に係る表示装置の駆動電圧生成部が生成する基本ゲートオン信号の電圧の大きさを示す図である。
【図３】本発明の一実施形態に係る表示装置の駆動電圧変調部で変調されたゲートオンパルスの波形図である。
【図４】本発明の一実施形態に係る表示装置の駆動信号及びゲート信号の波形図である。
【図５】本発明の一実施形態に係る表示装置のブロック図である。
【図６】本発明の一実施形態に係る表示装置のゲート駆動部のブロック図である。
【図７】図６に示したゲート駆動部用シフトレジスタのｊ番目ステージの回路図の一例である。
【図８】本発明の一実施形態に係る表示装置の駆動信号及びゲート信号の波形図である。
【図９】本発明の一実施形態に係る表示装置のブロック図である。
【図１０】本発明の一実施形態に係る表示装置の駆動信号及びゲート信号の波形図である。
【図１１】本発明の一実施形態に係る表示装置のブロック図である。
【図１２】本発明の一実施形態に係る表示装置の駆動信号及びゲート信号の波形図である。
【図１３】本発明の一実施形態に係る表示装置のブロック図である。
【発明を実施するための形態】
【００２１】
添付した図面を参照して、本発明の実施形態を、本発明が属する技術分野における通常の知識を有する者が容易に実施できるように詳細に説明する。しかし、本発明は種々の異なる形態に実現でき、ここで説明される実施形態に限られない。
【００２２】
最初に、図１、図２、図３、及び図４を参照して、本発明の一実施形態による駆動装置及びこれを含む表示装置について説明する。
【００２３】
図１は、本発明の一実施形態に係る表示装置のブロック図であり、図２は、本発明の一実施形態に係る表示装置の駆動電圧生成部が生成する基本ゲートオン信号の電圧の大きさを示す図であり、図３は、本発明の一実施形態に係る表示装置の駆動電圧変調部で変調されたゲートオンパルスの波形図であり、図４は、本発明の一実施形態に係る表示装置の駆動信号及びゲート信号の波形図である。
【００２４】
図１を参照すれば、本発明の一実施形態に係る表示装置は、表示板３００、及びこれを駆動するための駆動装置を含む。駆動装置は、ゲート駆動部（ｓｃａｎｎｉｎｇ  ｄｒｉｖｅｒ）４００ａ、データ駆動部５００、及びこれらと接続された制御部（ｃｏｎｔｒｏｌｌｅｒ）７００を含む。
【００２５】
表示板３００は、複数の信号線（ｓｉｇｎａｌ  ｌｉｎｅ）（Ｇ１〜Ｇｎ）と、これに接続されて、ほぼ行列状に配列できる複数の画素（ｐｉｘｅｌ）（図示せず）を含む。
【００２６】
信号線（Ｇ１〜Ｇｎ）は、ゲート信号（「走査信号」とも言う）を伝達する複数のゲート線（Ｇ１〜Ｇｎ）と、データ電圧を伝達する複数のデータ線（Ｄ１〜Ｄｍ）を含む。
【００２７】
各画素は、ゲート線（Ｇ１〜Ｇｎ）とデータ線（Ｄ１〜Ｄｍ）に接続された薄膜トランジスタなどのスイッチング素子と、これに接続された画素電極（図示せず）を含むことができる。スイッチング素子は三端子素子であって、その制御端子はゲート線（Ｇ１〜Ｇｎ）と接続されており、入力端子はデータ線（Ｄ１〜Ｄｍ）と接続でき、出力端子は画素電極と接続できる。
【００２８】
制御部７００は、信号制御部６００、駆動電圧生成部７１０、及び駆動電圧変調部７２０を含むことができる。
【００２９】
信号制御部６００は、ゲート駆動部４００ａ、データ駆動部５００、駆動電圧生成部７１０、及び駆動電圧変調部７２０を制御する。
【００３０】
具体的に、信号制御部６００は、走査開始を指示する走査開始信号ＳＴＶ、及びゲートオンパルスの出力時期を制御するゲートクロック信号ＣＰＶなどのゲート制御信号を、ゲート駆動部４００ａ及び駆動電圧変調部７２０に送出し、走査開始信号ＳＴＶを駆動電圧生成部７１０に送出する。図４を参照すれば、走査開始信号ＳＴＶは、１フレームを１周期として発生するパルスを含み、ゲートクロック信号ＣＰＶは、１フレーム内のゲート線（Ｇ１〜Ｇｎ）の数または画面の解像度によるパルスを含むことができる。ゲートクロック信号ＣＰＶのパルスの周期は１水平周期１Ｈであるとよい。
【００３１】
信号制御部６００は、映像データの伝送開始を知らせる水平同期開始信号（ＳＴＨ）、データ線（Ｄ１〜Ｄｍ）にデータ電圧の印加を指示するロード信号、及びデータクロック信号ＨＣＬＫを含むデータ制御信号をデータ駆動部５００に送出することができる。
【００３２】
駆動電圧生成部７１０は、信号制御部６００から走査開始信号ＳＴＶを受信して、スイッチング素子をターンオンさせることができる基本ゲートオン電圧Ｖｏｎと、スイッチング素子をターンオフさせることができる基本ゲートオフ電圧Ｖｏｆｆを生成して、駆動電圧変調部７２０に送出する。
【００３３】
図２を参照すれば、駆動電圧生成部７１０が生成する基本ゲートオン電圧Ｖｏｎは一定でなく、１フレーム時間１Ｔを１周期として時間によって増加されるとよい。この時、基本ゲートオン電圧Ｖｏｎが以後の種々の処理過程を経て、ゲート線（Ｇ１〜Ｇｎ）にゲートオンパルスとして印加されることを考慮する時、図２において、時間の増加はゲートオンパルスを順次に送出するゲート線（Ｇ１〜Ｇｎ）の順序に対応するとよい。
【００３４】
具体的に、１フレーム時間１Ｔの開始点で基本ゲートオン電圧Ｖｏｎは第１基本ゲートオン電圧Ｖｏｎ１であり、これは第１ゲート線Ｇ１に対応する。基本ゲートオン電圧Ｖｏｎは時間によって増加して、第２ゲート線Ｇ２には第２基本ゲートオン電圧Ｖｏｎ２が対応し、第３ゲート線Ｇ３には第３基本ゲートオン電圧Ｖｏｎ３が対応し、第４ゲート線Ｇ４には第４基本ゲートオン電圧Ｖｏｎ４が対応して、最後のゲート線Ｇｎには最後の基本ゲートオン電圧Ｖｏｎｎが対応することができる。次のフレームの開始点でさらに基本ゲートオン電圧Ｖｏｎは第１基本ゲートオン電圧Ｖｏｎ１になる。
【００３５】
走査開始信号ＳＴＶは、基本ゲートオン電圧Ｖｏｎを第１基本ゲートオン電圧Ｖｏｎ１にリセットする基準となりうる。例えば、走査開始信号ＳＴＶのパルスの下降エッジ以降、一定の時間が経過した後の基本ゲートオン電圧Ｖｏｎを第１基本ゲートオン電圧Ｖｏｎ１と決定することができる。
【００３６】
１フレーム内の基本ゲートオン電圧Ｖｏｎは、図２に示したように、一定の比率で増加してもよく、これとは異なって幾何級数的に増加するか、またはｎ次関数（ｎは２以上）によるなど多様な方式で増加してもよい。
【００３７】
本実施形態とは異なって、基本ゲートオン電圧Ｖｏｎは二つ以上のゲート線（Ｇ１〜Ｇｎ）ごとに変化しうる。例えば、第１ゲート線Ｇ１及び第２ゲート線Ｇ２に第１基本ゲートオン電圧Ｖｏｎ１が対応し、第３ゲート線Ｇ３及び第４ゲート線Ｇ４に第２基本ゲートオン電圧Ｖｏｎ２が対応してもよい。
【００３８】
駆動電圧生成部７１０が生成する基本ゲートオフ電圧Ｖｏｆｆは、基本ゲートオン電圧Ｖｏｎより低い値で一定の値を有するとよい。
【００３９】
駆動電圧変調部７２０は、信号制御部６００から走査開始信号ＳＴＶ及びゲートクロック信号ＣＰＶなどのゲート制御信号を受信し、駆動電圧生成部７１０から基本ゲートオン電圧Ｖｏｎと基本ゲートオフ電圧Ｖｏｆｆを受信して、これらに基づいて変調されたゲートオン電圧Ｖｏｎ’と変調されたゲートオフ電圧Ｖｏｆｆ’を生成する。
【００４０】
具体的に、駆動電圧変調部７２０は、オーバシュート生成部７２２及びアンダシュート生成部７２４を含むことができる。オーバシュート生成部７２２は、各ゲート線（Ｇ１〜Ｇｎ）に対応する基本ゲートオン電圧（Ｖｏｎ１、Ｖｏｎ２、・・・、Ｖｏｎｎ）を基準としてオーバシュート電圧Ｖｏｓを追加して、変調されたゲートオン電圧Ｖｏｎ’を生成し、アンダシュート生成部７２４は、基本ゲートオフ電圧Ｖｏｆｆを基準としてアンダシュート電圧Ｖｕｓを追加して、変調されたゲートオフ電圧Ｖｏｆｆ’を生成することができる。
【００４１】
図４を参照すれば、オーバシュート生成部７２２は、走査開始信号ＳＴＶのパルス以降発生するゲートクロック信号ＣＰＶの各パルスの上昇エッジに対応する基本ゲートオン電圧Ｖｏｎを選択して、１水平周期１Ｈの間維持する。ゲートクロック信号ＣＰＶのパルスの上昇エッジに対応する基本ゲートオン電圧Ｖｏｎは、図２に示した第１乃至第ｎ基本ゲートオン電圧（Ｖｏｎ１、Ｖｏｎ２、・・・、Ｖｏｎｎ）であるとよい。
【００４２】
また、各ゲートクロック信号ＣＰＶのパルスの上昇エッジで、基本ゲートオン電圧（Ｖｏｎ１、Ｖｏｎ２、・・・、Ｖｏｎｎ）に正（＋）の値を有するオーバシュート電圧Ｖｏｓを一定時間追加して、変調されたゲートオン電圧Ｖｏｎ’を生成する。オーバシュート電圧Ｖｏｓの追加時間ｔ１は１水平周期１Ｈより短く、適切に調整可能である。例えば、オーバシュート電圧Ｖｏｓの追加時間ｔ１は、１水平周期１Ｈの１／２以下であるとよい。
【００４３】
アンダシュート生成部７２４は、走査開始信号ＳＴＶのパルス以降に発生するゲートクロック信号ＣＰＶの各パルスの下降エッジで、基本ゲートオフ電圧Ｖｏｆｆに負（−）の値を有するアンダシュート電圧Ｖｕｓを一定時間追加して、変調されたゲートオフ電圧Ｖｏｆｆ’を生成する。アンダシュート電圧Ｖｕｓの追加時間ｔ２は１水平周期１Ｈより短く、ゲートクロック信号ＣＰＶのパルスの間の間隔、つまり、一つの低レベル区間と同一でありうる。しかし、アンダシュート電圧Ｖｕｓの追加時間ｔ２は、適切に調整可能であり、例えば、１水平周期１Ｈの１／２以下であるとよい。
【００４４】
ゲート駆動部４００ａは表示板３００のゲート線（Ｇ１〜Ｇｎ）と接続されている。ゲート駆動部４００ａは、信号制御部６００から走査開始信号ＳＴＶ及びゲートクロック信号ＣＰＶなどのゲート制御信号を受信し、駆動電圧変調部７２０から変調されたゲートオン電圧Ｖｏｎ’と変調されたゲートオフ電圧Ｖｏｆｆ’を受信して、少なくとも一つのゲートオンパルスＧＰを含むゲート信号Ｖｇを生成して、ゲート線（Ｇ１〜Ｇｎ）に印加する。特に、制御部７００から入力されるゲート制御信号、変調されたゲートオン電圧Ｖｏｎ’と変調されたゲートオフ電圧Ｖｏｆｆ’は、別途の信号配線を通してゲート駆動部４００ａに入力される。
【００４５】
図４を参照すれば、ゲート駆動部４００ａは、１水平周期１Ｈのゲートクロック信号ＣＰＶに対応する変調されたゲートオン電圧Ｖｏｎ’と変調されたゲートオフ電圧Ｖｏｆｆ’を利用してゲートオンパルスＧＰを生成し、ゲートクロック信号ＣＰＶの連続的なパルスに対応して生成したゲートオンパルスＧＰをゲート線（Ｇ１〜Ｇｎ）に順次に印加する。具体的に、ゲート駆動部４００ａは、ゲートクロック信号ＣＰＶの各パルスの高レベル区間に対応する変調されたゲートオン電圧Ｖｏｎ’を選択し、ゲートクロック信号ＣＰＶの低レベル区間に対応する変調されたゲートオフ電圧Ｖｏｆｆ’を選択して、各ゲート線（Ｇ１〜Ｇｎ）に印加されるゲートオンパルスＧＰを生成する。
【００４６】
図３及び図４を参照すれば、各ゲート信号ＶｇのゲートオンパルスＧＰは、ゲートクロック信号ＣＰＶの各パルスに対応する基本ゲートオン電圧（Ｖｏｎ１、Ｖｏｎ２、Ｖｏｎ３、・・・、Ｖｏｎｎ）を基準として、ゲートクロック信号ＣＰＶのパルスの上昇エッジに対応するオーバシュート電圧Ｖｏｓの追加分と、ゲートクロック信号ＣＰＶのパルスの下降エッジに対応するアンダシュート電圧Ｖｕｓの追加分を含む。各ゲートオンパルスＧＰの幅は１水平周期１Ｈであってもよい。
【００４７】
ゲート駆動部４００ａは、ゲートオンパルスＧＰを印加しない区間では基本ゲートオフ電圧Ｖｏｆｆをゲート線（Ｇ１〜Ｇｎ）に印加することができる。
【００４８】
データ駆動部５００は表示板３００のデータ線（Ｄ１〜Ｄｍ）と接続されており、入力映像信号に対応するデータ電圧をデータ線（Ｄ１〜Ｄｍ）に印加する。
【００４９】
本実施形態において、ゲート駆動部４００ａまたはデータ駆動部５００は、一つ以上のチップの形態で表示板３００に装着されてもよく、フレキシブル印刷回路膜（ｆｌｅｘｉｂｌｅ  ｐｒｉｎｔｅｄ  ｃｉｒｃｕｉｔ  ｆｉｌｍ）（図示せず）の上に装着されて、ＴＣＰ（ｔａｐｅ  ｃａｒｒｉｅｒ  ｐａｃｋａｇｅ）の形態で表示板３００に付着されてもよく、別途の印刷回路基板（ｐｒｉｎｔｅｄ  ｃｉｒｃｕｉｔ  ｂｏａｒｄｄ）（図示せず）の上に装着されてもよい。これとは異なって、ゲート駆動部４００ａまたはデータ駆動部５００は、薄膜トランジスタスイッチング素子などと共に表示板３００に集積されてもよい。
【００５０】
このようにゲート信号ＶｇのゲートオンパルスＧＰの開始部分にオーバシュート電圧Ｖｏｓを追加し、最後の部分にアンダシュート電圧Ｖｕｓを追加して、ゲート線（Ｇ１〜Ｇｎ）に印加すると、制御部７００からゲート駆動部４００ａに入力される種々の駆動電圧及び駆動信号の信号遅延によるゲート信号波形の歪曲を減らすことができる。これによって、表示板３００の位置によるゲートオンパルスの波形偏差による輝度偏差を減らすことができる。また、画素のスイッチング素子に入力されるデータ電圧のタイミングとゲートオンパルスのタイミングを正確に合わせることができるので、表現しようとする映像を正確に表示することができる。特に、表示板３００の大型化に有利である。
【００５１】
また、表示板３００の大型化に伴ってデータ線（Ｄ１〜Ｄｍ）が長くなれば、信号遅延によって、データ駆動部５００から遠方の画素のスイッチング素子にデータ電圧が、遅延して歪曲されて印加されることがある。この場合、ゲートオンパルスＧＰの基本ゲートオン電圧Ｖｏｎ、オーバシュート電圧Ｖｏｓ、アンダシュート電圧Ｖｕｓ、そしてオーバシュート電圧Ｖｏｓ及びアンダシュート電圧Ｖｕｓの追加時間などを調節して、ゲートオンパルスの印加タイミングとデータ電圧の印加タイミングを合わせることができる。
【００５２】
以下、上述した図１乃至図４を参照して、本発明の一実施形態に係る表示装置の駆動方法について説明する。
【００５３】
信号制御部６００は、外部のグラフィック制御器（図示せず）から入力映像信号及びその表示を制御する入力制御信号を受信する。入力映像信号は、各画素の輝度（ｌｕｍｉｎａｎｃｅ）情報を含んでおり、輝度は定められた数の階調（ｇｒａｙ  ｌｅｖｅｌ）を有している。入力制御信号例としては、垂直同期信号、水平同期信号、メインクロック信号、及びデータイネーブル信号などがある。
【００５４】
信号制御部６００は、入力映像信号と入力制御信号に基づいて入力映像信号を適切に処理して出力映像信号に変換し、走査開始信号ＳＴＶ及びゲートクロック信号ＣＰＶを含むゲート制御信号を生成してゲート駆動部４００ａ及び駆動電圧変調部７２０に送出し、データ制御信号を生成してデータ駆動部５００に送出する。
【００５５】
駆動電圧生成部７１０は、信号制御部６００から走査開始信号ＳＴＶを受信して基本ゲートオン電圧Ｖｏｎと基本ゲートオフ電圧Ｖｏｆｆとを生成し、駆動電圧変調部７２０に送出する。
【００５６】
駆動電圧変調部７２０は、信号制御部６００から走査開始信号ＳＴＶ及びゲートクロック信号ＣＰＶなどのゲート制御信号を受信し、駆動電圧生成部７１０から基本ゲートオン電圧Ｖｏｎと基本ゲートオフ電圧Ｖｏｆｆを受信して、これらに基づいて変調されたゲートオン電圧Ｖｏｎ’と変調されたゲートオフ電圧Ｖｏｆｆ’を生成する。
【００５７】
データ駆動部５００は、出力映像信号に対応するデータ電圧を生成して、これを当該データ線（Ｄ１〜Ｄｍ）に印加する。
【００５８】
ゲート駆動部４００ａは、信号制御部６００からのゲート制御信号、及び駆動電圧変調部７２０からの変調されたゲートオン電圧Ｖｏｎ’と変調されたゲートオフ電圧Ｖｏｆｆ’に基づいて、上述したようなゲートオンパルスＧＰを含むゲート信号を生成して、ゲート線（Ｇ１〜Ｇｎ）に印加する。
【００５９】
このことにより、データ線（Ｄ１〜Ｄｍ）に印加されたデータ電圧がターンオンされたスイッチング素子を通して当該画素に印加される。したがって、画素は入力映像信号の階調が示す輝度を表示することができる。
【００６０】
次に、図５、図６、図７、及び図８を参照して、本発明の一実施形態による駆動装置及びこれを含む表示装置について説明する。上述した実施形態と同一の構成要素に対しては同一の図面符号を付け、同一の説明を省略する。
【００６１】
図５は、本発明の一実施形態に係る表示装置のブロック図であり、図６は、本発明の一実施形態に係る表示装置のゲート駆動部のブロック図であり、図７は、図６に示したゲート駆動部用シフトレジスタのｊ番目ステージの回路図の一例であり、図８は、本発明の一実施形態に係る表示装置の駆動信号及びゲート信号の波形図である。
【００６２】
図５を参照すれば、本実施形態による表示装置は、上述した実施形態と大部分が同一なので、相違点を中心に説明する。
【００６３】
本発明の一実施形態に係る表示装置は、表示板３００、これを駆動するための駆動装置としてゲート駆動部４００ｂ、データ駆動部５００、及びこれらと接続された制御部７００を含む。
【００６４】
制御部７００は、信号制御部６００、駆動電圧生成部７１０、駆動電圧変調部７２０、及びクロック信号生成部７２６を含む。
【００６５】
信号制御部６００は、走査開始信号ＳＴＶ、そして第１ゲートクロック信号ＣＰＶ１及び第２ゲートクロック信号ＣＰＶ２を駆動電圧変調部７２０及びクロック信号生成部７２６に送出し、走査開始信号ＳＴＶを駆動電圧生成部７１０に送出する。図８を参照すれば、走査開始信号ＳＴＶは１フレームを１周期として発生するパルスを含む。第１ゲートクロック信号ＣＰＶ１と第２ゲートクロック信号ＣＰＶ２は互いに反転形態の波形を有し、そのパルスの周期は２水平周期２Ｈであるとよい。第１ゲートクロック信号ＣＰＶ１と第２ゲートクロック信号ＣＰＶ２のデューティ比は５０％であるとよい。
【００６６】
駆動電圧生成部７１０は、信号制御部６００から走査開始信号ＳＴＶを受信して、これに基づいて基本ゲートオン電圧Ｖｏｎと基本ゲートオフ電圧Ｖｏｆｆ、及び共通低電圧Ｖｓｓを生成して、駆動電圧変調部７２０に送出する。共通低電圧Ｖｓｓは、一定の直流電圧ＤＣであって、ゲート駆動部４００ｂが含む薄膜トランジスタをターンオフすることができる電圧であり、基本ゲートオフ電圧Ｖｏｆｆが同一であるとよい。
【００６７】
駆動電圧変調部７２０は、信号制御部６００から走査開始信号ＳＴＶ、第１ゲートクロック信号ＣＰＶ１及び第２ゲートクロック信号ＣＰＶ２を受信し、駆動電圧生成部７１０から基本ゲートオン電圧Ｖｏｎ、基本ゲートオフ電圧Ｖｏｆｆ、及び共通低電圧Ｖｓｓを受信して、これらに基づいて変調された第１ゲートオン電圧Ｖｏｎ’１及び第２ゲートオン電圧Ｖｏｎ’２と、変調された第１ゲートオフ電圧Ｖｏｆｆ’１及び第２ゲートオフ電圧Ｖｏｆｆ’２を生成する。
【００６８】
具体的に、駆動電圧変調部７２０は、オーバシュート生成部７２２及びアンダシュート生成部７２４を含むことができる。オーバシュート生成部７２２は、各ゲート線（Ｇ１〜Ｇｎ）に対応する基本ゲートオン電圧（Ｖｏｎ１、Ｖｏｎ２、・・・Ｖｏｎｎ）を基準としてオーバシュート電圧Ｖｏｓを追加して、第１ゲートクロック信号ＣＰＶ１に対応する変調された第１ゲートオン電圧Ｖｏｎ’１、及び第２ゲートクロック信号ＣＰＶ２に対応する変調された第２ゲートオン電圧Ｖｏｎ’２を生成する。アンダシュート生成部７２４は、基本ゲートオフ電圧Ｖｏｆｆを基準としてアンダシュート電圧Ｖｕｓを追加して、第１ゲートクロック信号ＣＰＶ１に対応する変調された第１ゲートオフ電圧Ｖｏｆｆ’１、及び第２ゲートクロック信号ＣＰＶ２に対応する変調された第２ゲートオフ電圧Ｖｏｆｆ’２を生成する。
【００６９】
図８を参照すれば、オーバシュート生成部７２２は、走査開始信号ＳＴＶのパルス以降に発生する第１ゲートクロック信号ＣＰＶ１のパルスの上昇エッジに対応する基本ゲートオン電圧Ｖｏｎを選択して、２水平周期２Ｈの間維持する。第１ゲートクロック信号ＣＰＶ１の隣接する二つのパルスは、一つのゲート線を介在した二つのゲート線（Ｇ１〜Ｇｎ）に対応することができる。したがって、走査開始信号ＳＴＶのパルス以降に、一番目の第１ゲートクロック信号ＣＰＶ１のパルスに対応する基本ゲートオン電圧は、第１基本ゲートオン電圧Ｖｏｎ１であり、二番目の第１ゲートクロック信号ＣＰＶ１のパルスに対応する基本ゲートオン電圧は、第３基本ゲートオン電圧Ｖｏｎ３でありうる。
【００７０】
また、オーバシュート生成部７２２は、第１ゲートクロック信号ＣＰＶのパルスの上昇エッジで、基本ゲートオン電圧（Ｖｏｎ１、Ｖｏｎ３、・・・）にオーバシュート電圧Ｖｏｓを一定時間追加して、変調された第１ゲートオン電圧Ｖｏｎ’１を生成する。
【００７１】
同様に、オーバシュート生成部７２２は、走査開始信号ＳＴＶのパルスの下降エッジ以降に発生する第２ゲートクロック信号ＣＰＶ２のパルスの上昇エッジに対応する基本ゲートオン電圧Ｖｏｎを選択して、２水平周期２Ｈの間維持する。第２ゲートクロック信号ＣＰＶ２の隣接する二つのパルスは、一つのゲート線を介在した二つのゲート線（Ｇ１〜Ｇｎ）に対応することができる。したがって、走査開始信号ＳＴＶ以後に、一番目の第２ゲートクロック信号ＣＰＶ１のパルスに対応する基本ゲートオン電圧は、第２基本ゲートオン電圧Ｖｏｎ２であり、二番面の第２ゲートクロック信号ＣＰＶ１のパルスに対応する基本ゲートオン電圧は、第４基本ゲートオン電圧Ｖｏｎ４でありうる。
【００７２】
また、オーバシュート生成部７２２は、第２ゲートクロック信号ＣＰＶのパルスの上昇エッジで、基本ゲートオン電圧（Ｖｏｎ２、Ｖｏｎ４、・・・）にオーバシュート電圧Ｖｏｓを一定時間追加して、変調された第２ゲートオン電圧Ｖｏｎ’２を生成する。
【００７３】
これとは異なって、二つ以上のゲート線（Ｇ１〜Ｇｎ）ごとに基本ゲートオン電圧Ｖｏｎを変化させてもよい。この場合、走査開始信号ＳＴＶのパルス以降に、変調された第１ゲートオン電圧Ｖｏｎ’１の最初の基本ゲートオン電圧、及び変調された第２ゲートオン電圧Ｖｏｎ’２の最初の基本ゲートオン電圧が、第１ゲートオン電圧Ｖｏｎ１で同一であってもよい。二つのゲート線（Ｇ１〜Ｇｎ）ごとに基本ゲートオン電圧Ｖｏｎが変化する場合、変調された第１ゲートオン電圧Ｖｏｎ’１と変調された第２ゲートオン電圧Ｖｏｎ’２は１水平周期１Ｈの位相差を有する同一の波形を有してもよい。
【００７４】
アンダシュート生成部７２４は、走査開始信号ＳＴＶのパルスの下降エッジ以降に発生する第１ゲートクロック信号ＣＰＶ１のパルスの下降エッジで、基本ゲートオフ電圧Ｖｏｆｆにアンダシュート電圧Ｖｕｓを一定時間追加して、変調された第１ゲートオフ電圧Ｖｏｆｆ’１を生成し、第２ゲートクロック信号ＣＰＶ２のパルスの下降エッジで、基本ゲートオフ電圧Ｖｏｆｆにアンダシュート電圧Ｖｕｓを一定時間追加して、変調された第２ゲートオフ電圧Ｖｏｆｆ’２を生成する。
【００７５】
二つのゲート線（Ｇ１〜Ｇｎ）ごとに基本ゲートオン電圧Ｖｏｎが変化する場合、変調された第１ゲートオフ電圧Ｖｏｆｆ’１と変調された第２ゲートオフ電圧Ｖｏｆｆ’２は、１水平周期１Ｈの位相差を有する同一の波形を有することができる。
【００７６】
クロック信号生成部７２６は、駆動電圧変調部７２０から変調された第１ゲートオン電圧Ｖｏｎ’１と変調された第２ゲートオン電圧Ｖｏｎ’２、及び共通低電圧Ｖｓｓを受信し、信号制御部６００から第１ゲートクロック信号ＣＰＶ１及び第２ゲートクロック信号ＣＰＶ２を受信して、第１クロック信号ＣＬＫ１及び第２クロック信号ＣＬＫ２を生成することができる。
【００７７】
図８を参照すれば、クロック信号生成部７２６は、第１ゲートクロック信号ＣＰＶ１の各パルスの高レベル区間に対応する変調された第１ゲートオン電圧Ｖｏｎ’１を選択し、第１ゲートクロック信号ＣＰＶ１の低レベル区間に対応する時間には共通低電圧Ｖｓｓを選択して、第１クロック信号ＣＬＫ１を生成することができる。また、クロック信号生成部７２６は、第２ゲートクロック信号ＣＰＶ１の各パルスの高レベル区間に対応する変調された第２ゲートオン電圧Ｖｏｎ’２を選択し、第２ゲートクロック信号ＣＰＶ２の低レベル区間に対応する時間には共通低電圧Ｖｓｓを選択して、第２クロック信号ＣＬＫ２を生成することができる。第１クロック信号ＣＬＫ１及び第２クロック信号ＣＬＫ２それぞれのパルスは、２Ｈの周期を有するとよく、そのデューティ比は５０％であるとよいが、これに限定されることではない。また、第１クロック信号ＣＬＫ１及び第２クロック信号ＣＬＫ２のパルス波形は、互いに１Ｈの位相差を有するとよい。
【００７８】
ゲート駆動部４００ｂは、クロック信号生成部７２６から第１クロック信号ＣＬＫ１及び第２クロック信号ＣＬＫ２を受信し、駆動電圧変調部７２０から変調された第１ゲートオフ電圧Ｖｏｆｆ’１及び第２ゲートオフ電圧Ｖｏｆｆ’２を受信して、ゲートオンパルスＧＰを含むゲート信号Ｖｇを生成してゲート線（Ｇ１〜Ｇｎ）に印加する。特に、クロック信号生成部７２６から入力される第１クロック信号ＣＬＫ１及び第２クロック信号ＣＬＫ２と、駆動電圧変調部７２０から入力される変調された第１ゲートオフ電圧Ｖｏｆｆ’１及び第２ゲートオフ電圧Ｖｏｆｆ’２は、別途の信号配線を通してゲート駆動部４００ｂに入力されるとよい。
【００７９】
ゲート駆動部４００ｂは、第１ゲートクロック信号ＣＰＶ１の各パルスに対応する第１クロック信号ＣＬＫ１の電圧を選択することにより生成されたゲートオンパルスＧＰを、奇数番目ゲート線（Ｇ１、Ｇ３、・・・）に順次に印加し、第２ゲートクロック信号ＣＰＶ２の各パルスに対応する第２クロック信号ＣＬＫ２の電圧を選択することにより生成されたゲートオンパルスＧＰを、偶数番目ゲート線（Ｇ２、Ｇ４、・・・）に順次に印加することができる。
【００８０】
図８を参照すれば、ゲート線（Ｇ１〜Ｇｎ）に印加される各ゲート信号ＶｇのゲートオンパルスＧＰは、第１ゲートクロック信号ＣＰＶ１及び第２ゲートクロック信号ＣＰＶ２の各パルスに対応する基本ゲートオン電圧（Ｖｏｎ１、Ｖｏｎ２、Ｖｏｎ３、・・・、Ｖｏｎｎ）を基準として、第１ゲートクロック信号ＣＰＶ１及び第２ゲートクロック信号ＣＰＶ２のパルスの上昇エッジに対応するオーバシュート電圧Ｖｏｓの追加分と、第１ゲートクロック信号ＣＰＶ１及び第２ゲートクロック信号ＣＰＶ２のパルスの下降エッジに対応するアンダシュート電圧Ｖｕｓの追加分を含む。アンダシュート電圧Ｖｕｓの追加分を除いた各ゲートオンパルスＧＰの幅は、１水平周期１Ｈであるとよい。
【００８１】
ゲート駆動部４００ｂは、ゲートオンパルスＧＰを印加しない区間には、基本ゲートオフ電圧Ｖｏｆｆをゲート線（Ｇ１〜Ｇｎ）に印加するとよい。
【００８２】
データ駆動部５００は、表示板３００のデータ線（Ｄ１〜Ｄｍ）と接続されており、映像信号に対応するデータ電圧をデータ線（Ｄ１〜Ｄｍ）に印加する。
【００８３】
本実施形態において、ゲート駆動部４００ｂは表示板３００に集積されることができる。このようなゲート駆動部４００ｂについて、図６及び図７を参照して説明する。
【００８４】
本実施形態によるゲート駆動部４００ｂは、ゲート線（Ｇ１〜Ｇｎ）にそれぞれ接続されている複数のステージ４１０を含むシフトレジスタであって、別途の配線を通して走査開始信号ＳＴＶ、第１クロック信号ＣＬＫ１、第２クロック信号ＣＬＫ２、及び変調された第１ゲートオフ電圧Ｖｏｆｆ’１と第２及びゲートオフ電圧Ｖｏｆｆ’２が入力される。
【００８５】
各ステージ４１０は、セット端子Ｓ、リセット端子Ｒ、ゲートオフ電圧端子ＧＶ、出力端子ＯＵＴ、及びクロック端子ＣＫ１、ＣＫ２を含む。
【００８６】
各ステージ４１０、例えば、ｊ番目ステージＳＴ（ｊ）のセット端子Ｓには、前段ステージＳＴ（ｊ−１）のゲート信号、つまり、前段ゲート信号Ｇｏｕｔ（ｊ−１）が、リセット端子Ｒには、後段ステージＳＴ（ｊ＋１）のゲート信号、つまり、後段ゲート信号Ｇｏｕｔ（ｊ＋１）が入力され、クロック端子ＣＫ１、ＣＫ２には第１クロック信号ＣＬＫ１及び第２クロック信号ＣＬＫ２がそれぞれ入力される。出力端子ＯＵＴは、ゲート線Ｇｊ、前段ステージＳＴ（ｊ−１）及び後段ステージＳＴ（ｊ＋１）にゲート信号Ｇｏｕｔ（ｊ）を送出する。これとは異なって、前段ステージＳＴ（ｊ−１）及び後段ステージＳＴ（ｊ＋１）に出力されるキャリー信号を送出する別個の出力端子をさらに一つ設けることができ、出力端子ＯＵＴに接続するバッファーをさらに設けることも可能である。
【００８７】
つまり、各ステージ４１０は、前段ゲート信号Ｇｏｕｔ（ｊ−１）と後段ゲート信号Ｇｏｕｔ（ｊ＋１）に基づき、第１クロック信号ＣＬＫ１及び第２クロック信号ＣＬＫ２に同期してゲート信号Ｇｏｕｔ（ｊ）を生成し出力する。
【００８８】
但し、ゲート駆動部４００ｂの最初のステージＳＴ１には、前段ゲート信号の代わりに走査開始信号ＳＴＶが入力される。
【００８９】
この時、例えば、ｊ番目ステージＳＴ（ｊ）のクロック端子ＣＫ１に第１クロック信号ＣＬＫ１が、クロック端子ＣＫ２に第２クロック信号ＣＬＫ２が入力される場合、これに隣接した（ｊ−１）番目ステージＳＴ（ｊ−１）及び（ｊ＋１）番目ステージＳＴ（ｊ＋１）のクロック端子ＣＫ１には第２クロック信号ＣＬＫ２が、クロック端子ＣＫ２には第１クロック信号ＣＬＫ１が入力されることができる。
【００９０】
図７を参照すれば、本発明の一実施形態によるゲート駆動部４００ｂの各ステージ、例えば、ｊ番目ステージは、少なくとも一つのトランジスタ（Ｔ１〜Ｔ７）及びキャパシタＣ１、Ｃ２を含むことができるが、図示したものに限定されることではない。また、キャパシタＣ１、Ｃ２は、実際に工程時に形成されるゲートとドレイン／ソース間の寄生容量（ｐａｒａｓｉｔｉｃ  ｃａｐａｃｉｔａｎｃｅ）でありうる。
【００９１】
トランジスタＴ２は、制御端子と入力端子がセット端子Ｓに接続されており、前段ゲート信号Ｇｏｕｔ（ｊ−１）を接続点Ｊ１に伝達することができる。トランジスタＴ３は制御端子がリセット端子Ｒに接続されており、変調された第１ゲートオフ電圧Ｖｏｆｆ’１を接続点Ｊ１に出力することができる。トランジスタＴ４とトランジスタＴ５の制御端子は接続点Ｊ２に共通的に接続されており、変調された第１ゲートオフ電圧Ｖｏｆｆ’１を接続点Ｊ１と出力端子ＯＵＴにそれぞれ伝達することができる。トランジスタＴ６はクロック端子ＣＫ２に、トランジスタＴ７は接続点Ｊ１に接続されて、変調された第１ゲートオフ電圧Ｖｏｆｆ’１を接続点Ｊ２と出力端子ＯＵＴにそれぞれ伝達することができる。トランジスタＴ１は、制御端子が接続点Ｊ１に接続されて、第１クロック信号ＣＬＫ１を出力端子ＯＵＴに伝達することができる。キャパシタＣ１はクロック端子ＣＫ１と接続点Ｊ２の間に接続されており、キャパシタＣ２は接続点Ｊ１と出力端子ＯＵＴの間に接続されている。
【００９２】
以下、図７に示したシフトレジスタの動作について、ｊ番目ステージを例に挙げて説明する。
【００９３】
ｊ番目ステージＳＴ（ｊ）が第１クロック信号ＣＬＫ１に同期してゲート信号を生成する場合、前段ステージＳＴ（ｊ−１）及び後段ステージＳＴ（ｊ＋１）は第２クロック信号ＣＬＫ２に同期してゲート信号を生成することができる。
【００９４】
まず、第２クロック信号ＣＬＫ２及び前段ゲート信号Ｇｏｕｔ（ｊ−１）がハイになれば、トランジスタＴ２とトランジスタＴ６がターンオンされる。このことにより、トランジスタＴ２はゲートオンパルスの高電圧を接続点Ｊ１に伝達して、二つのトランジスタＴ１、Ｔ７をターンオンさせる。これによって、トランジスタＴ７は変調された第１ゲートオフ電圧Ｖｏｆｆ’１を接続点Ｊ２に、トランジスタＴ６は出力端子ＯＵＴに伝達する。また、トランジスタＴ１がターンオンされて第１クロック信号ＣＬＫ１が出力端子ＯＵＴに出力されるが、この時、第１クロック信号ＣＬＫ１が共通低電圧Ｖｓｓであるので、ゲート信号Ｇｏｕｔ（ｊ）は共通低電圧Ｖｓｓを維持する。これと同時に、キャパシタＣ２はゲートオンパルスＧＰの高電圧と共通低電圧Ｖｓｓの差に相当する大きさの電圧を充電する。
【００９５】
この時、後段ゲート信号Ｇｏｕｔ（ｊ＋１）がローであるので、リセット端子Ｒの入力もローである。したがって、リセット端子Ｒと接続点Ｊ２に制御端子が接続されているトランジスタＴ３、Ｔ４、Ｔ５はターンオフ状態である。
【００９６】
次に、第１クロック信号ＣＬＫ１がハイになり、第２クロック信号ＣＬＫ２がローになれば、トランジスタＴ６がターンオフされる。これによって、出力端子ＯＵＴは変調された第１ゲートオフ電圧Ｖｏｆｆ’１とは遮断されると同時に、第１クロック信号ＣＬＫ１に接続されて、ゲートオンパルスＧＰの高電圧をゲート信号Ｇｏｕｔ（ｊ）として送出する。
【００９７】
次に、後段ゲート信号Ｇｏｕｔ（ｊ＋１）がハイになれば、トランジスタＴ３がターンオンされて変調された第１ゲートオフ電圧Ｖｏｆｆ’１を接続点Ｊ１に伝達する。これによって、トランジスタＴ１がターンオフされて第１クロック信号ＣＬＫ１と出力端子ＯＵＴの接続が遮断される。
【００９８】
これと同時に、第２クロック信号ＣＬＫ２がハイになってトランジスタＴ６がターンオンされながら、出力端子ＯＵＴと変調された第１ゲートオフ電圧Ｖｏｆｆ’１が接続するので、出力端子ＯＵＴは変調された第１ゲートオフ電圧Ｖｏｆｆ’１を送出する。また、トランジスタＴ７がターンオフされながら接続点Ｊ２は浮遊状態となるため、接続点Ｊ２は前の電圧である低電圧が変調された第１ゲートオフ電圧Ｖｏｆｆ’１を維持する。
【００９９】
次に、後段ゲート信号Ｇｏｕｔ（ｊ＋１）と第２クロック信号ＣＬＫ２がローになれば、接続点Ｊ１、Ｊ２は浮遊状態で前の電圧を維持する。この時、キャパシタＣ１の一端は第１クロック信号ＣＬＫ１に接続されているので、浮遊状態の接続点Ｊ２の電位は第１クロック信号ＣＬＫ１のレベルによって変化する。
【０１００】
その後には、出力端子ＯＵＴは、接続点Ｊ２が高電圧になる時、つまり、第１クロック信号ＣＬＫ１がハイである時、トランジスタＴ５を通じて変調された第１ゲートオフ電圧Ｖｏｆｆ’１に接続され、第２クロック信号ＣＬＫ２がハイである時は、トランジスタＴ６を通じて変調された第１ゲートオフ電圧Ｖｏｆｆ’１に接続される。
【０１０１】
このような方式で、最初のステージＳＴ１から最後のステージＳＴ（ｎ）までゲート信号を生成して、ゲート線（Ｇ１〜Ｇｎ）に出力すれば、１フレーム内の動作が完了する。
【０１０２】
この他に、上述した図１乃至図４の種々の特徴、動作及び効果が、本実施形態にも適用可能である。
【０１０３】
次に、図９及び図１０を参照して、本発明の一実施形態による駆動装置及びこれを含む表示装置について説明する。
【０１０４】
図９は、本発明の一実施形態に係る表示装置のブロック図であり、図１０は、本発明の一実施形態に係る表示装置の駆動信号及びゲート信号の波形図である。
【０１０５】
本実施形態に係る表示装置は、上述した図１乃至図４に示した実施形態と大部分同一なので、相違点を中心に説明する。
【０１０６】
本実施形態による信号制御部６００は、シュートデジタル信号Ｄｓを生成して、駆動電圧変調部７２０に伝達することができる。また、駆動電圧変調部７２０は、オーバシュート生成部７２２及びアンダシュート生成部７２４以外に、デジタル−アナログ変換部（ｄｉｇｉｔａｌ  ｔｏ  ａｎａｌｏｇ  ｃｏｎｖｅｒｔｅｒ、ＤＡＣ）７２８をさらに含むことができる。
【０１０７】
本実施形態において、オーバシュート電圧Ｖｏｓは１フレーム内で一定でないことがある。例えば、オーバシュート電圧Ｖｏｓは、１フレーム内で０から開始して次第に増加することができる。この時、オーバシュート電圧Ｖｏｓの増加比率は一定であってもよいが、これに限定されることではなく、多様な関数式によって増加することも可能である。また、ゲートクロック信号ＣＰＶのパルスごとにオーバシュート電圧Ｖｏｓが増加してもよく、二つ以上のパルスごとにオーバシュート電圧Ｖｏｓが増加してもよい。図１０は、ゲートクロック信号ＣＰＶの二つのパルスごとにオーバシュート電圧Ｖｏｓが変化する例を示す。
【０１０８】
図１０を参照すれば、走査開始信号ＳＴＶのパルス以降に発生する二つのゲートクロック信号ＣＰＶのパルスの上昇エッジに対応するオーバシュート電圧Ｖｏｓは０であり、次の二つのゲートクロック信号ＣＰＶのパルスの上昇エッジに対応するオーバシュート電圧Ｖｏｓは第１オーバシュート電圧Ｖｏｓ１であり、さらに次の二つのゲートクロック信号ＣＰＶのパルスの上昇エッジに対応するオーバシュート電圧Ｖｏｓは第２オーバシュート電圧Ｖｏｓ２であり、正（＋）のオーバシュート電圧Ｖｏｓ１、Ｖｏｓ２は順次に増加してもよい。
【０１０９】
また、アンダシュート電圧Ｖｕｓも１フレーム内で一定でないことがある。例えば、アンダシュート電圧Ｖｕｓの絶対値は、１フレーム内で０から開始して次第に増加してもよい。この時、アンダシュート電圧Ｖｕｓの絶対値の増加比率は一定であってもよいが、これに限定されることではなく、多様な関数式によって増加してもよい。また、ゲートクロック信号ＣＰＶのパルスごとにアンダシュート電圧Ｖｕｓの絶対値が増加してもよく、二つ以上のパルスごとにアンダシュート電圧Ｖｕｓが変化してもよい。図１０は、ゲートクロック信号ＣＰＶの二つのパルスごとにアンダシュート電圧Ｖｕｓが変化する例を示す。
【０１１０】
図１０を参照すれば、走査開始信号ＳＴＶのパルス以降に発生する二つのゲートクロック信号ＣＰＶのパルスの下降エッジに対応するアンダシュート電圧Ｖｕｓは０であり、次の二つのゲートクロック信号ＣＰＶのパルスの下降エッジに対応するアンダシュート電圧Ｖｕｓは第１アンダシュート電圧Ｖｕｓ１であり、さらに次の二つのゲートクロック信号ＣＰＶのパルスの下降エッジに対応するアンダシュート電圧Ｖｕｓは第２アンダシュート電圧Ｖｕｓ２であり、負（−）のアンダシュート電圧Ｖｕｓ１、Ｖｕｓ２の絶対値は順次に増加してもよい。
【０１１１】
シュートデジタル信号Ｄｓは、このように１フレームを１周期として変化するオーバシュート電圧Ｖｏｓ及びアンダシュート電圧Ｖｕｓのうちの少なくとも一つに対する情報を含む。シュートデジタル信号Ｄｓのビット数は、画面の解像度または表示板３００が含むゲート線（Ｇ１〜Ｇｎ）の数に従うとよい。
【０１１２】
デジタル−アナログ変換部７２８は、シュートデジタル信号Ｄｓをシュートアナログ電圧に変換して、オーバシュート生成部７２２及びアンダシュート生成部７２４に伝達する。このことにより、オーバシュート生成部７２２及びアンダシュート生成部７２４はシュートアナログ電圧を利用して、図１０に示したように、変調されたゲートオン電圧Ｖｏｎ’及び変調されたゲートオフ電圧Ｖｏｆｆ’を生成することができる。
【０１１３】
本実施形態によって生成されたゲート信号Ｖｇは、ゲート線（Ｇ１〜Ｇｎ）の順序が増加するほど、ゲートオンパルスＧＰが含むオーバシュート電圧Ｖｏｓの絶対値及びアンダシュート電圧Ｖｕｓの絶対値が増加しうる。例えば、第１ゲート線Ｇ１及び第２ゲート線Ｇ２に出力されるゲートオンパルスＧＰのオーバシュート電圧Ｖｏｓとアンダシュート電圧Ｖｕｓは０であり、第３ゲート線Ｇ３及び第４ゲート線Ｇ４に出力されるゲートオンパルスＧＰは、第１オーバシュート電圧Ｖｏｓ１及び第１アンダシュート電圧Ｖｕｓ１を含むことができる。同様に、第５ゲート線Ｇ６及び第６ゲート線Ｇ６に出力されるゲートオンパルスＧＰは、第２オーバシュート電圧Ｖｏｓ２及び第２アンダシュート電圧Ｖｕｓ２を含むことができる。このようなオーバシュート電圧Ｖｏｓ及びアンダシュート電圧Ｖｕｓは、走査開始信号ＳＴＶのパルスが始まると、再び初期値にリセットされるとよい。
【０１１４】
このようにゲートオンパルスＧＰのオーバシュート電圧Ｖｏｓとアンダシュート電圧Ｖｕｓの絶対値を、信号遅延が激しい後段のゲート線側に向かうほど大きくすることにより、信号遅延が殆どない前段部分のゲート線に印加されるゲートオンパルスＧＰが、不必要なオーバシュート電圧及びアンダシュート電圧を含まなくてよい。また、表示板３００の大型化に伴う信号遅延によるゲート信号波形の歪曲をさらに減らすことができ、表示板３００の位置による輝度偏差をさらに減少させることができる。
【０１１５】
次に、図１１及び図１２を参照して、本発明の一実施形態による駆動装置及びこれを含む表示装置について説明する。
【０１１６】
図１１は、本発明の一実施形態に係る表示装置のブロック図であり、図１２は、本発明の一実施形態に係る表示装置の駆動信号及びゲート信号の波形図である。
【０１１７】
本実施形態に係る表示装置は、上述した図５乃至図８に示した実施形態と大部分同一なので、相違点を中心に説明する。
【０１１８】
本実施形態による信号制御部６００は、シュートデジタル信号Ｄｓをさらに生成して、駆動電圧変調部７２０に伝達することができる。また、駆動電圧変調部７２０は、オーバシュート生成部７２２及びアンダシュート生成部７２４以外にデジタル−アナログ変換部７２８をさらに含むことができる。
【０１１９】
本実施形態において、オーバシュート電圧Ｖｏｓ及びアンダシュート電圧Ｖｕｓは１フレーム内で一定でないことがあり、上述した図９及び図１０に示した実施形態と類似するので、同一の説明は省略する。
【０１２０】
図１２は、第１ゲートクロック信号ＣＰＶ１または第２ゲートクロック信号ＣＰＶ２の二つのパルスごとにオーバシュート電圧Ｖｏｓが変化する例を示す。走査開始信号ＳＴＶのパルス以降に発生する第１ゲートクロック信号ＣＰＶ１の二つのパルス及び第２ゲートクロック信号ＣＰＶ２の二つのパルスの上昇エッジに対応するオーバシュート電圧Ｖｏｓは０であり、第１ゲートクロック信号ＣＰＶ１または第２ゲートクロック信号ＣＰＶ２の次の二つのパルスの上昇エッジに対応するオーバシュート電圧Ｖｏｓは第１オーバシュート電圧Ｖｏｓ１であり、さらに次の二つのパルスの上昇エッジに対応するオーバシュート電圧Ｖｏｓは第２オーバシュート電圧Ｖｏｓ２であり、正（＋）のオーバシュート電圧（Ｖｏｓ１、Ｖｏｓ２、・・・）は順次に増加してもよい。
【０１２１】
また、アンダシュート電圧Ｖｕｓも第１ゲートクロック信号ＣＰＶ１または第２ゲートクロック信号ＣＰＶ２の二つのパルスごとに変化してもよい。走査開始信号ＳＴＶのパルス以降に発生する第１ゲートクロック信号ＣＰＶ１の二つのパルス及び第２ゲートクロック信号ＣＰＶ２の二つのパルスの下降エッジに対応するアンダシュート電圧Ｖｕｓは０であり、第１ゲートクロック信号ＣＰＶ１または第２ゲートクロック信号ＣＰＶ２の次の二つのパルスの下降エッジに対応するアンダシュート電圧Ｖｕｓは第１アンダシュート電圧Ｖｕｓ１であり、さらに次の二つのパルスの下降エッジに対応するアンダシュート電圧Ｖｕｓは第２アンダシュート電圧Ｖｕｓ２であり、負（−）のアンダシュート電圧（Ｖｕｓ１、Ｖｕｓ２、・・・）の絶対値は順次に増加してもよい。
【０１２２】
シュートデジタル信号Ｄｓは、このように１フレーム内で変化するオーバシュート電圧Ｖｏｓ及びアンダシュート電圧Ｖｕｓに対する情報を含む。
【０１２３】
デジタル−アナログ変換部７２８は、シュートデジタル信号Ｄｓをシュートアナログ電圧に変換してオーバシュート生成部７２２及びアンダシュート生成部７２４に伝達する。このことにより、オーバシュート生成部７２２及びアンダシュート生成部７２４はシュートアナログ電圧を利用して、図１２に示したように、変調された第１ゲートオン電圧Ｖｏｎ’と第２ゲートオン電圧Ｖｏｎ’２、及び変調された第１ゲートオフ電圧Ｖｏｆｆ’１と第２ゲートオフ電圧Ｖｏｆｆ’２を生成することができる。
【０１２４】
本実施形態によって生成されたゲート信号Ｖｇ中、第１乃至第４ゲート線（Ｇ１〜Ｇ４）に印加されるゲート信号ＶｇのゲートオンパルスＧＰは、オーバシュート電圧Ｖｏｓまたはアンダシュート電圧Ｖｕｓを含んでおらず、第５ゲート線Ｇ５に印加されるゲート信号ＶｇのゲートオンパルスＧＰからオーバシュート電圧Ｖｏｓ及びアンダシュート電圧Ｖｕｓを含むことができる。また、図１２に示した例では４つのゲート線（Ｇ１〜Ｇｎ）ごとにオーバシュート電圧Ｖｏｓまたはアンダシュート電圧Ｖｕｓの絶対値が増加するとよい。しかし、これに限定されることではなく、１つ以上のゲート線（Ｇ１〜Ｇｎ）ごとにオーバシュート電圧Ｖｏｓまたはアンダシュート電圧Ｖｕｓの絶対値が増加してもよい。
【０１２５】
次に、図１３を参照して、本発明の一実施形態に係る表示装置について説明する。
【０１２６】
図１３は、本発明の一実施形態に係る表示装置のブロック図である。
【０１２７】
図１３を参照すれば、本発明の一実施形態に係る表示装置は、表示板３００及びこれを駆動するための駆動装置を含み、駆動装置は、ゲート駆動部４００ｃ、及び上述した種々の実施形態が含む他の構成要素を含むことができる。
【０１２８】
本実施形態によるゲート駆動部４００ｃは、接続線（Ｂ１、Ｂ２、・・・、Ｂ（ｎ−１）、Ｂｎ）を通じてゲート線（Ｇ１〜Ｇｎ）と接続される。接続線（Ｂ１、Ｂ２、・・・、Ｂ（ｎ−１）、Ｂｎ）とゲート線（Ｇ１〜Ｇｎ）は接触部（Ｃｎｔ）を通じて電気的に接続される。
【０１２９】
ゲート線（Ｇ１〜Ｇｎ）がほぼ横方向に延びる時、接続線（Ｂ１、Ｂ２、・・・、Ｂ（ｎ−１）、Ｂｎ）はゲート線（Ｇ１〜Ｇｎ）と交差し、ほぼ縦方向に延びる。この時、ゲート駆動部４００ｃは、最後のゲート線Ｇｎより最初のゲート線Ｇ１にさらに近いところに位置する。したがって、最初のゲート線Ｇ１または第１ゲート線Ｇ１と接続された第１接続線Ｂ１から開始して、最後のゲート線Ｇｎと接続されたｎ番目接続線Ｂｎまでに向かうほど接続線（Ｂ１、Ｂ２、・・・、Ｂ（ｎ−１）、Ｂｎ）の長さは次第に長くなる。したがって、本実施形態においてゲート駆動部４００ｃで生成されたゲート信号Ｖｇは、最後のゲート線Ｇｎが位置する下段部に向かうほど配線抵抗または寄生容量などによるゲート信号の信号遅延が大きくなる。
【０１３０】
しかし、上述した本発明の種々の実施形態によれば、ゲートオンパルスＧＰがオーバシュート電圧Ｖｏｓとアンダシュート電圧Ｖｕｓを含み、基本ゲートオン電圧Ｖｏｎが表示板３００の下段部に向かうほど増加するので、信号遅延によるゲート信号ＶｇのゲートオンパルスＧＰの歪曲及び偏差を減らすことができる。したがって、表示板３００の位置に関係なく、均一な輝度の映像を表示することができる。
【０１３１】
また、表示板３００の上段部から下段部に延びるデータ線（図示せず）の抵抗及び寄生容量などによって、データ電圧に歪曲が生じたり、画素のスイッチング素子に印加されるタイミングに偏差が生じたりしても、本発明の種々の実施形態のように、ゲート信号ＶｇのゲートオンパルスＧＰを変調してゲート線（Ｇ１〜Ｇｎ）に印加することによって、ゲート信号Ｖｇの印加タイミングとデータ電圧の印加タイミングを一致させることができ、データ電圧の信号遅延を補償することができる。
【０１３２】
上述した本発明の種々の実施形態においては、ゲートオンパルスＧＰが、基本ゲートオン電圧Ｖｏｎと基本ゲートオフ電圧Ｖｏｆｆを基準として、オーバシュート電圧Ｖｏｓとアンダシュート電圧Ｖｕｓを全て含む例を中心に説明したが、これに限定されず、オーバシュート電圧Ｖｏｓとアンダシュート電圧Ｖｕｓのいずれか一つだけを追加することも可能である。
【０１３３】
以上、本発明の好ましい実施形態について詳細に説明したが、本発明の権利範囲はこれに限定されず、次の請求範囲で定義している本発明の基本概念を利用した当業者の種々の変形及び改良形態も本発明の権利範囲に属するものである。
【符号の説明】
【０１３４】
３００  表示板
４００ａ、４００ｂ、４００ｃ  ゲート駆動部
５００  データ駆動部
６００  信号制御部
７００  制御部
７１０  駆動電圧生成部
７２０  駆動電圧変調部
７２２  オーバシュート生成部
７２４  アンダシュート生成部
７２６  クロック信号生成部
７２８  デジタル−アナログ変換部
ＣＬＫ１、ＣＬＫ２  クロック信号
ＣＰＶ  ゲートクロック信号
ＧＰ  ゲートオンパルス
ＳＴＶ  走査開始信号
Ｖｇ  ゲート信号
【図１】
2013246431.tif 000003
【図２】
2013246431.tif 000004
【図３】
2013246431.tif 000005
【図４】
2013246431.tif 000006
【図５】
2013246431.tif 000007
【図６】
2013246431.tif 000008
【図７】
2013246431.tif 000009
【図８】
2013246431.tif 000010
【図９】
2013246431.tif 000011
【図１０】
2013246431.tif 000012
【図１１】
2013246431.tif 000013
【図１２】
2013246431.tif 000014
【図１３】
2013246431.tif 000015